(57)【要約】【課題】ＡＶデータの再生時には最適な再生速度で読出しを行い、高速回転の振動による騒音や消費電力の低減を図り、通常のデータ読出し時には、最高速で読出しを行わせる情報再生方法を提供する。【解決手段】データ読出しの転送レートはユーザからの読出し要求の態様に従って決定されることからユーザによる読出し要求の態様に従うデータ転送レートに応じて情報媒体の回転速度を決定する。例えば、ＡＶデータの再生時のようにデータ転送レートがしきい値より低い場合には（Ｓ３，Ｓ４のＹ）、情報媒体の回転速度を下げることで（Ｓ６）、必要以上に高速で読出すことを避け高速回転による騒音や消費電力の低減を図る。一方、同じＡＶデータのファイルでもリッピング等の態様でのデータ読出しの場合には転送レートがしきい値よりも大きいことから（Ｓ４のＮ）、情報媒体の回転速度を上限のままとすることで、最高速での読出しを行わせることもできるようにした。【選択図】図１
2006286185.tif 000002
【特許請求の範囲】
【請求項１】
回転駆動される情報媒体からキャッシュメモリを介してホストに情報を読出す情報再生方法であって、
前記キャッシュメモリから前記ホストに転送されているデータの転送レートに応じて前記情報媒体の回転速度を決定するようにした情報再生方法。
【請求項２】
回転駆動される情報媒体からキャッシュメモリを介してホストに情報を読出す情報再生方法であって、
データ読出しの前記キャッシュメモリから前記ホストに転送されているデータの転送レートが或るしきい値以下の場合には前記情報媒体の回転速度を下げて情報を読出すようにした情報再生方法。
【請求項３】
回転駆動される情報媒体からキャッシュメモリを介してホストに情報を読出す情報再生方法であって、
データ読出しの前記キャッシュメモリから前記ホストに転送されているデータの転送レートが或るしきい値を越えた場合には前記情報媒体の回転速度を上げて情報を読出すようにした情報再生方法。
【請求項４】
回転駆動される情報媒体からキャッシュメモリを介してホストに情報を読出す情報再生方法であって、
データ読出しの前記キャッシュメモリから前記ホストに転送されているデータの転送レートが或るしきい値以下の場合には前記情報媒体の回転速度を下げて情報を読出し、前記転送レートが或るしきい値を越えた場合には前記情報媒体の回転速度を上げて情報を読出すようにした情報再生方法。
【請求項５】
ユーザからの読出し要求の発行の有無を監視し、データ読出しの転送レートの計測中に前記読出し要求の発行が一定時間以上にわたって来なかった場合にはデータ読出しの転送レートの計測をやり直すようにした請求項２ないし４の何れか一に記載の情報再生方法。
【請求項６】
ユーザからの読出し要求における読出しアドレスを監視し、データ読出しの転送レートの計測中に前記読出し要求があった読出しアドレスが昇順になっていない場合にはデータ読出しの転送レートの計測をやり直すようにした請求項２ないし４の何れか一に記載の情報再生方法。
【請求項７】
複数回の転送レートの計測を１セットとしてその有効性を判定し、１セット内における複数回の転送レートの計測結果が同程度の転送レートであった場合にはその転送レートを有効とするようにした請求項２ないし４の何れか一に記載の情報再生方法。
【請求項８】
前記情報媒体の回転速度を下げるためのしきい値より前記情報媒体の回転速度を上げるためのしきい値の方が大きな値である請求項４記載の情報再生方法。
【請求項９】
前記情報媒体から読出した情報を転送する前に一時的に蓄えるキャッシュメモリを用い、ユーザによる読出し要求後も前記キャッシュメモリに空き容量がある場合にはデータの先読出しを行わせる請求項２ないし８の何れか一に記載の情報再生方法であって、
前記情報媒体からの情報読出しを最高速で行っている場合には、前記キャッシュメモリが一杯になりデータの先読出しが終了した時点で、転送レートの計測を開始させるようにした情報再生方法。
【請求項１０】
情報媒体を回転するモータと、前記情報媒体の情報を読出す光ピックアップとを備え、回転駆動される前記情報媒体からキャッシュメモリを介してホストに情報を読出す情報再生装置であって、
前記キャッシュメモリから前記ホストに転送されているデータの転送レートに応じて前記モータによる前記情報媒体の回転速度を決定するようにした情報再生装置。
【請求項１１】
情報媒体を回転するモータと、前記情報媒体の情報を読出す光ピックアップとを備え、回転駆動される前記情報媒体からキャッシュメモリを介してホストに情報を読出す情報再生装置であって、
データ読出しの前記キャッシュメモリから前記ホストに転送されているデータの転送レートを或るしきい値と比較する比較手段と、
この比較手段による比較の結果、計測した転送レートが或るしきい値以下の場合には前記モータによる前記情報媒体の回転速度を下げるように制御する回転速度制御手段と、を備える情報再生装置。
【請求項１２】
情報媒体を回転するモータと、前記情報媒体の情報を読出す光ピックアップとを備え、回転駆動される前記情報媒体からキャッシュメモリを介してホストに情報を読出す情報再生装置であって、
データ読出しの前記キャッシュメモリから前記ホストに転送されているデータの転送レートを或るしきい値と比較する比較手段と、
この比較手段による比較の結果、計測した転送レートが或るしきい値を越える場合には前記モータによる前記情報媒体の回転速度を上げるように制御する回転速度制御手段と、を備える情報再生装置。
【請求項１３】
情報媒体を回転するモータと、前記情報媒体の情報を読出す光ピックアップとを備え、回転駆動される前記情報媒体からキャッシュメモリを介してホストに情報を読出す情報再生装置であって、
データ読出しの前記キャッシュメモリから前記ホストに転送されているデータの転送レートを常時計測する計測手段と、計測した転送レートを或るしきい値と比較する比較手段と、
この比較手段による比較の結果、計測した転送レートが或るしきい値以下の場合には前記モータによる前記情報媒体の回転速度を下げるように制御し、計測した転送レートが或るしきい値を越える場合には前記モータによる前記情報媒体の回転速度を上げるように制御する回転速度制御手段と、を備える情報再生装置。
【請求項１４】
ユーザからの読出し要求の発行の有無を一定時間にわたって監視する監視手段と、
この監視手段による監視の結果、データ読出しの転送レートの計測中に前記読出し要求の発行が一定時間以上にわたって来なかった場合にはデータ読出しの転送レートの計測をやり直す再計測手段と、を備える請求項１１ないし１３の何れか一に記載の情報再生装置。
【請求項１５】
ユーザからの読出し要求における読出しアドレスが昇順であるか否かを監視するアドレス監視手段と、
このアドレス監視手段による監視の結果、データ読出しの転送レートの計測中に前記読出し要求があった読出しアドレスが昇順になっていない場合にはデータ読出しの転送レートの計測をやり直す再計測手段と、を備える請求項１１ないし１３の何れか一に記載の情報再生装置。
【請求項１６】
前記計測手段は、複数回の転送レートの計測を１セットとしてその有効性を判定し、１セット内における複数回の転送レートの計測結果が同程度の転送レートであった場合にはその転送レートを有効とするようにした請求項１１ないし１３の何れか一に記載の情報再生装置。
【請求項１７】
前記比較手段は、前記情報媒体の回転速度を下げるためのしきい値より前記情報媒体の回転速度を上げるためのしきい値の方が大きな値に設定されている請求項１３記載の情報再生装置。
【請求項１８】
前記情報媒体から読出した情報を転送する前に一時的に蓄えるキャッシュメモリを備え、ユーザによる読出し要求後も前記キャッシュメモリに空き容量がある場合にはデータの先読出しを行わせる請求項１１ないし１７の何れか一に記載の情報再生装置であって、
前記計測手段は、前記情報媒体からの情報読出しを最高速で行っている場合には、前記キャッシュメモリが一杯になりデータの先読出しが終了した時点で、転送レートの計測を開始するようにした情報再生装置。
【発明の詳細な説明】
【技術分野】
【０００１】
本発明は、回転駆動される情報媒体全般、特に、ＣＤ−ＲＯＭディスク、ＣＤ−Ｒディスク、ＣＤ−ＲＷディスク等の情報媒体に記録されたＡＶデータを再生する情報再生方法及び情報再生装置に関する。
【背景技術】
【０００２】
ＣＤ−ＲＯＭディスク、ＣＤ−Ｒディスク、ＣＤ−ＲＷディスク等の回転駆動される情報媒体から情報を読出す情報再生装置では、読出し速度の高速化が図られている反面、ディスクの高速回転による騒音や消費電力の増加といった問題を抱えている。
【０００３】
例えば、音楽ＣＤ（ＣＤ−ＤＡ）やビデオＣＤ、或いはＣＤに記録したＷＡＶファイル（マイクロソフト社のＯＳであるＷindows（登録商標）で扱われる最も基本的な音声ファイル形式で、拡張子ｗａｖのファイル）、ＭＰ３ファイル（ＭＰＥＧ Ａudio Ｌayer−３の略…音声圧縮技術の規格名称で拡張子ｍｐ３のファイル）といったＡＶデータを、コンピュータに搭載したＵＳＢスピーカ等で再生させる場合、データの読出しが高速回転であればあるほど、回転の振動による騒音や消費電力は大きな問題になってくる。
【０００４】
また、ディスクの回転速度が速いほど、ディスク上についた傷やごみ等により、データを誤って読出す可能性も高くなる。また、そのための幾つかの手法が提案されている（例えば、特許文献１参照。）。
【特許文献１】特開２０００−１３２９０１号公報
【発明の開示】
【発明が解決しようとする課題】
【０００５】
しかしながら、一般に、ディスク上に記録された音楽データ、ビデオデータ、ＷＡＶデータ等のＡＶデータを再生する場合の平均転送レートは１倍速前後であり、ＭＰ３データではその１／１０程度と、通常のデータ読出しに比べ十分に遅いものであり、ディスクを高速に回転させる必要はない。
【０００６】
このような問題に対し、例えば、音楽ＣＤや一部のビデオＣＤのようにエラー訂正機構のないデータを読出す場合は、所定の再生速度に減速して読み込みを行う情報再生装置が提案されている。しかしながら、上述のように音楽ＣＤやビデオＣＤの再生時に読出速度を無条件に減速させたのでは、高速読出しが要求されるデータ吸出し等において高速に読出すことができない。また、ＷＡＶデータやＭＰ３データ等はデータにエラー訂正機構が付加されているため、上記提案例の情報再生装置では、高速読出しの対象となってしまい、所定の再生速度に減速して読出すことができない。
【０００７】
また、特許文献１によれば、読出し速度を制御するディスク装置が提案されている。同公報例は、読出すべきファイルの転送速度に応じたディスク回転速度、具体的には、読出すデータの種類（ファイルの種類、ファイルサイズなど）を解析して最適な読出し速度を決定するものである。これによれば、常に最大速度で読取りを行う必要がなくなるため、トータルで見た読取り速度、振動・騒音、消費電力の点で好ましいものとなる。
【０００８】
しかしながら、この公報例の場合も、読出すデータの種類（ファイルの種類、ファイルサイズなど）によって自動的に回転速度＝読出し速度が決定されてしまうため、同じファイルに関して異なる態様で読み出そうとする場合に対処できないものである。例えば、同じＷＡＶファイルを読出す場合において、ユーザが要求する読出し要求の態様の違い（ＷＡＶ再生、データ吸出し＝リッピング等の違い等）に対処できない不具合がある。
【０００９】
そこで、本発明は、種々のＡＶデータの再生時には最適な再生速度で読出しを行い、ディスクの高速回転の振動による騒音や消費電力の低減を図るとともに、高速読出しが要求される通常のデータ読出しにおいては、最高速で読出しを行うことができる情報再生方法及び情報再生装置を提供することを目的とする。
【課題を解決するための手段】
【００１０】
請求項１記載の発明は、回転駆動される情報媒体からキャッシュメモリを介してホストに情報を読出す情報再生方法であって、前記キャッシュメモリから前記ホストに転送されているデータの転送レートに応じて前記情報媒体の回転速度を決定するようにした。
【００１１】
データ読出しの転送レートはユーザからの読出し要求の態様に従って決定される。また、データ読出し速度は情報媒体の回転速度によって規定され、高速になるほど高速読出しとなり、低速になるほど低速読出しとなる。従って、ユーザによる読出し要求の態様に従うデータ転送レートに応じて情報媒体の回転速度を決定することで、例えば、ＡＶデータの再生時のようにデータ転送レートが低くてもよい場合には情報媒体の回転速度を下げることで、必要以上に高速で読出すことを避け、高速回転による騒音や消費電力の低減を図ることができる。一方、例えば同じＡＶデータのファイルであってもリッピング等の態様でのデータ読出しの場合には情報媒体の回転速度を上限まで上げることで、最高速での読出しを行わせることもできる。
【００１２】
請求項２記載の発明は、回転駆動される情報媒体からキャッシュメモリを介してホストに情報を読出す情報再生方法であって、データ読出しの前記キャッシュメモリから前記ホストに転送されているデータの転送レートが或るしきい値以下の場合には前記情報媒体の回転速度を下げて情報を読出すようにした。
【００１３】
従って、基本的には、請求項１記載の場合と同様であるが、特に、音楽ＣＤといったＡＶデータを再生させる読出し要求の態様の場合には、データ読出しの転送レートが通常のデータ読出しに比べて十分に低いため、その転送レートを計測し、予め設定されている或るしきい値以下の場合には情報媒体の回転速度を下げることにより、音楽ＣＤといったＡＶデータの再生に好適に対処できる。
【００１４】
請求項３記載の発明は、回転駆動される情報媒体からキャッシュメモリを介してホストに情報を読出す情報再生方法であって、データ読出しの前記キャッシュメモリから前記ホストに転送されているデータの転送レートが或るしきい値を越えた場合には前記情報媒体の回転速度を上げて情報を読出すようにした。
【００１５】
従って、基本的には、請求項１記載の場合と同様であるが、特に、音楽ＣＤといったＡＶデータが記録された情報媒体であってもそのデータの吸出しを行わせる読出し要求の態様の場合には、データ読出しの転送レートとして高速性が要求されるため、その転送レートを計測し、予め設定されている或るしきい値を越える場合には情報媒体の回転速度を例えば上限値に上げることにより、データの吸出しに関しては高速で読出しを行える。
【００１６】
請求項４記載の発明は、回転駆動される情報媒体からキャッシュメモリを介してホストに情報を読出す情報再生方法であって、データ読出しの前記キャッシュメモリから前記ホストに転送されているデータの転送レートが或るしきい値以下の場合には前記情報媒体の回転速度を下げて情報を読出し、前記転送レートが或るしきい値を越えた場合には前記情報媒体の回転速度を上げて情報を読出すようにした。
【００１７】
従って、例えばＡＶデータが記録されている同一の情報媒体に関して、ユーザにより、ＡＶデータの再生とＡＶデータの吸出しとが交互に要求される場合もあるが、データの読出しを行っている間は常に転送レートを計測し、しきい値を境として、情報媒体の回転速度を低速側と高速側とに切換え制御することにより、再生時には低速回転、データ吸出し時には高速回転させることができ、よって、ＡＶデータ再生時には騒音やデータの読み誤りの問題を抑えることができ、データ吸出し時には高速で処理させることができる。
【００１８】
請求項５記載の発明は、請求項２ないし４の何れか一に記載の情報再生方法において、ユーザからの読出し要求の発行の有無を監視し、データ読出しの転送レートの計測中に前記読出し要求の発行が一定時間以上にわたって来なかった場合にはデータ読出しの転送レートの計測をやり直すようにした。
【００１９】
転送レートの計測はＡＶデータファイルと通常のデータファイルとの区別なく行うものであり、請求項２ないし４の何れか一に記載の情報再生方法を実現する上で、通常のデータファイルの読出しを再生速度に変速して低速で行ったり、ＡＶデータ再生中に最高速に変速して音が途切れたり映像が止まったりすることを避けるためには、データ読出しの転送レートの計測を誤らないようにする必要がある。例えば、通常のデータファイルの読出しにおいて、ユーザからの読出し要求が一時中断された後に、データ吸出しが再開される場合などでは、転送レートが実際よりも低く計測されてしまう傾向にある。この点、ＡＶデータ再生時には、一般に、ユーザからの読出し要求は定期的に発行される傾向にあり、これがＡＶデータ再生中であるか否かを判断する一つの材料となり得る。このような点を考慮し、転送レートの計測において、読出し要求の発行が一定時間以上にわたって来なかった場合にはデータファイルの読出しである可能性が高いと見做し、転送レートの計測をやり直させることにより、通常のデータファイルの読出しを低速で行ったり、ＡＶデータ再生中に最高速に変速して音が途切れたり映像が止まったりすることを避けることができる。つまり、ＡＶデータファイルの再生と通常のデータファイルの読出しとの区分けを適正に行える。
【００２０】
請求項６記載の発明は、請求項２ないし４の何れか一に記載の情報再生方法において、ユーザからの読出し要求における読出しアドレスを監視し、データ読出しの転送レートの計測中に前記読出し要求があった読出しアドレスが昇順になっていない場合にはデータ読出しの転送レートの計測をやり直すようにした。
【００２１】
転送レートの計測はＡＶデータファイルと通常のデータファイルとの区別なく行うものであり、請求項２ないし４の何れか一に記載の情報再生方法を実現する上で、通常のデータファイルの読出しを再生速度に変速して低速で行ったり、ＡＶデータ再生中に最高速に変速して音が途切れたり映像が止まったりすることを避けるためには、データ読出しの転送レートの計測を誤らないようにする必要がある。例えば、通常のデータファイルの読出しにおいて、ユーザからの読出し要求が一時中断された後に、データ吸出しが再開される場合などでは、転送レートが実際よりも低く計測されてしまう傾向にある。この点、ＡＶデータ再生時には、一般に、ユーザからの読出し要求における読出しアドレスは昇順になっているため、これがＡＶデータ再生中であるか否かを判断する一つの材料となり得る。このような点を考慮し、転送レートの計測において、読出しアドレスが昇順になっていない場合にはデータファイルの読出しである可能性が高いと見做し、転送レートの計測をやり直させることにより、通常のデータファイルの読出しを低速で行ったり、ＡＶデータ再生中に最高速に変速して音が途切れたり映像が止まったりすることを避けることができる。つまり、ＡＶデータファイルの再生と通常のデータファイルの読出しとの区分けを適正に行える。
【００２２】
請求項７記載の発明は、請求項２ないし４の何れか一に記載の情報再生方法において、複数回の転送レートの計測を１セットとしてその有効性を判定し、１セット内における複数回の転送レートの計測結果が同程度の転送レートであった場合にはその転送レートを有効とするようにした。
【００２３】
例えば、低速回転による読出しによりＡＶデータを再生中にユーザが再生スキップ等を行った場合、情報媒体からそのスキップ分を一気に読出して転送先となるホスト側のバッファメモリにそのデータを蓄えさせておくようにするアプリケーションがある。このようなアプリケーションが用いられる場合、転送レートが一時的に増加するため、請求項２ないし４の何れか一に記載の情報再生方法を実現する上で、そのままでは、情報媒体の回転速度を最高速に上げてしまい、結果として、ＡＶデータの音切れや映像画面が停止してしまう可能性がある。この点、複数回の転送レートの計測を１セットとしてその有効性を判定し、１セット内における複数回の転送レートの計測結果が同程度の転送レートであった場合にはその転送レートを有効とし、有効な転送レートの値として複数回の転送レートで同程度の値が返ることを条件とすることで、得られる転送レートの信頼性を向上させることができ、一時的な転送レートの変化に対処することができる。
【００２４】
請求項８記載の発明は、請求項４記載の情報再生方法において、前記情報媒体の回転速度を下げるためのしきい値より前記情報媒体の回転速度を上げるためのしきい値の方が大きな値である。
【００２５】
請求項４記載の情報再生方法において、ユーザが要求するデータ転送レートが情報媒体の回転速度を切換える際のしきい値付近である場合、データ転送レートのわずかな変動によってデータ読出し中に情報媒体の回転速度の減速・増速を繰返してしまう可能性がある。この点、情報媒体の回転速度を下げるためのしきい値より情報媒体の回転速度を上げるためのしきい値の方が大きな値とすることにより、しきい値付近での転送レートでの読出し時に情報媒体の回転速度の減速・増速を繰返してしまう不具合を回避できる。
【００２６】
請求項９記載の発明は、前記情報媒体から読出した情報を転送する前に一時的に蓄えるキャッシュメモリを用い、ユーザによる読出し要求後も前記キャッシュメモリに空き容量がある場合にはデータの先読出しを行わせる請求項２ないし８の何れか一に記載の情報再生方法であって、前記情報媒体からの情報読出しを最高速で行っている場合には、前記キャッシュメモリが一杯になりデータの先読出しが終了した時点で、転送レートの計測を開始させるようにした。
【００２７】
請求項２ないし８の何れか一に記載の情報再生方法を実現する上で、情報媒体からのデータの読出しを最高速で行っている場合に、転送レートを測定するとデータ読出しのパフォーマンスを低下させてしまうが、情報媒体からの情報読出しを最高速で行っている場合には、キャッシュメモリが一杯になるということはドライブの読出し速度に対してユーザからの読出しが遅いことを意味するので、キャッシュメモリが一杯になりデータの先読出しが終了した時点で、転送レートの計測を開始させることで、最高速での読出し処理中に無用に転送レートの計測を行うことがなく、読出し処理のパフォーマンスの低下を防止できる。一方、ＡＶデータ再生時等であれば、転送レートが遅くキャッシュメモリが一杯になって先読出しが完了するため、転送レートの測定をそのまま開始させることができる。
【００２８】
請求項１０記載の発明は、情報媒体を回転するモータと、前記情報媒体の情報を読出す光ピックアップとを備え、回転駆動される前記情報媒体からキャッシュメモリを介してホストに情報を読出す情報再生装置であって、前記キャッシュメモリから前記ホストに転送されているデータの転送レートに応じて前記モータによる前記情報媒体の回転速度を決定するようにした。
【００２９】
データ読出しの転送レートはユーザからの読出し要求の態様に従って決定される。また、データ読出し速度は情報媒体の回転速度によって規定され、高速になるほど高速読出しとなり、低速になるほど低速読出しとなる。従って、ユーザによる読出し要求の態様に従うデータ転送レートに応じて情報媒体の回転速度を決定することで、例えば、ＡＶデータの再生時のようにデータ転送レートが低くてもよい場合には情報媒体の回転速度を下げることで、必要以上に高速で読出すことを避け、高速回転による騒音や消費電力の低減を図ることができる。一方、例えば同じＡＶデータのファイルであってもリッピング等の態様でのデータ読出しの場合には情報媒体の回転速度を上限まで上げることで、当該情報再生装置の性能を最大限活かすために最高速での読出しを行わせることもできる。
【００３０】
請求項１１記載の発明は、情報媒体を回転するモータと、前記情報媒体の情報を読出す光ピックアップとを備え、回転駆動される前記情報媒体からキャッシュメモリを介してホストに情報を読出す情報再生装置であって、データ読出しの前記キャッシュメモリから前記ホストに転送されているデータの転送レートを或るしきい値と比較する比較手段と、この比較手段による比較の結果、計測した転送レートが或るしきい値以下の場合には前記モータによる前記情報媒体の回転速度を下げるように制御する回転速度制御手段と、を備える。
【００３１】
従って、基本的には、請求項１０記載の場合と同様であるが、特に、音楽ＣＤといったＡＶデータを再生させる読出し要求の態様の場合には、データ読出しの転送レートが通常のデータ読出しに比べて十分に低いため、その転送レートを計測手段により計測し、比較手段による比較の結果、予め設定されている或るしきい値以下の場合には、回転速度制御手段により情報媒体の回転速度を下げることにより、音楽ＣＤといったＡＶデータの再生に好適に対処できる。
【００３２】
請求項１２記載の発明は、情報媒体を回転するモータと、前記情報媒体の情報を読出す光ピックアップとを備え、回転駆動される前記情報媒体からキャッシュメモリを介してホストに情報を読出す情報再生装置であって、データ読出しの前記キャッシュメモリから前記ホストに転送されているデータの転送レートを或るしきい値と比較する比較手段と、この比較手段による比較の結果、計測した転送レートが或るしきい値を越える場合には前記モータによる前記情報媒体の回転速度を上げるように制御する回転速度制御手段と、を備える。
【００３３】
従って、基本的には、請求項１０記載の場合と同様であるが、特に、音楽ＣＤといったＡＶデータが記録された情報媒体であってもそのデータの吸出しを行わせる読出し要求の態様の場合には、データ読出しの転送レートとして高速性が要求されるため、その転送レートを計測手段により計測し、比較手段による比較の結果、予め設定されている或るしきい値を越える場合には回転速度制御手段により情報媒体の回転速度を例えば上限値に上げることにより、データの吸出しに関しては当該情報再生装置の性能を最大限活かすために高速で読出しを行える。
【００３４】
請求項１３記載の発明は、情報媒体を回転するモータと、前記情報媒体の情報を読出す光ピックアップとを備え、回転駆動される前記情報媒体からキャッシュメモリを介してホストに情報を読出す情報再生装置であって、データ読出しの前記キャッシュメモリから前記ホストに転送されているデータの転送レートを常時計測する計測手段と、計測した転送レートを或るしきい値と比較する比較手段と、この比較手段による比較の結果、計測した転送レートが或るしきい値以下の場合には前記モータによる前記情報媒体の回転速度を下げるように制御し、計測した転送レートが或るしきい値を越える場合には前記モータによる前記情報媒体の回転速度を上げるように制御する回転速度制御手段と、を備える。
【００３５】
従って、例えばAVデータが記録されている同一の情報媒体に関して、ユーザにより、ＡＶデータの再生とＡＶデータの吸出しとが交互に要求される場合もあるが、データの読出しを行っている間は計測手段により常に転送レートを計測し、比較手段による比較の結果、しきい値を境として、情報媒体の回転速度を回転速度制御手段により低速側と高速側とに切換え制御することにより、再生時には低速回転、データ吸出し時には高速回転させることができ、よって、ＡＶデータ再生時には騒音やデータの読み誤りの問題を抑えることができ、データ吸出し時には当該情報再生装置の性能を最大限活かすために高速で処理させることができる。
【００３６】
請求項１４記載の発明は、請求項１１ないし１３の何れか一に記載の情報再生装置において、ユーザからの読出し要求の発行の有無を一定時間にわたって監視する監視手段と、この監視手段による監視の結果、データ読出しの転送レートの計測中に前記読出し要求の発行が一定時間以上にわたって来なかった場合にはデータ読出しの転送レートの計測をやり直す再計測手段と、を備える。
【００３７】
転送レートの計測はＡＶデータファイルと通常のデータファイルとの区別なく行うものであり、請求項１１ないし１３の何れか一に記載の情報再生装置を実現する上で、通常のデータファイルの読出しを再生速度に変速して低速で行ったり、ＡＶデータ再生中に最高速に変速して音が途切れたり映像が止まったりすることを避けるためには、データ読出しの転送レートの計測を誤らないようにする必要がある。例えば、通常のデータファイルの読出しにおいて、ユーザからの読出し要求が一時中断された後に、データ吸出しが再開される場合などでは、転送レートが実際よりも低く計測されてしまう傾向にある。この点、ＡＶデータ再生時には、一般に、ユーザからの読出し要求は定期的に発行される傾向にあり、これがＡＶデータ再生中であるか否かを判断する一つの材料となり得る。このような点を考慮し、転送レートの計測において、読出し要求の発行が一定時間以上にわたって来なかった場合にはデータファイルの読出しである可能性が高いと見做し、転送レートの計測をやり直させることにより、通常のデータファイルの読出しを低速で行ったり、ＡＶデータ再生中に最高速に変速して音が途切れたり映像が止まったりすることを避けることができる。つまり、ＡＶデータファイルの再生と通常のデータファイルの読出しとの区分けを適正に行える。
【００３８】
請求項１５記載の発明は、請求項１１ないし１３の何れか一に記載の情報再生装置において、ユーザからの読出し要求における読出しアドレスが昇順であるか否かを監視するアドレス監視手段と、このアドレス監視手段による監視の結果、データ読出しの転送レートの計測中に前記読出し要求があった読出しアドレスが昇順になっていない場合にはデータ読出しの転送レートの計測をやり直す再計測手段と、を備える。
【００３９】
転送レートの計測はＡＶデータファイルと通常のデータファイルとの区別なく行うものであり、請求項１１ないし１３の何れか一に記載の情報再生装置を実現する上で、通常のデータファイルの読出しを再生速度に変速して低速で行ったり、ＡＶデータ再生中に最高速に変速して音が途切れたり映像が止まったりすることを避けるためには、データ読出しの転送レートの計測を誤らないようにする必要がある。例えば、通常のデータファイルの読出しにおいて、ユーザからの読出し要求が一時中断された後に、データ吸出しが再開される場合などでは、転送レートが実際よりも低く計測されてしまう傾向にある。この点、ＡＶデータ再生時には、一般に、ユーザからの読出し要求における読出しアドレスは昇順になっているため、これがＡＶデータ再生中であるか否かを判断する一つの材料となり得る。このような点を考慮し、転送レートの計測において、読出しアドレスが昇順になっていない場合にはデータファイルの読出しである可能性が高いと見做し、転送レートの計測をやり直させることにより、通常のデータファイルの読出しを低速で行ったり、ＡＶデータ再生中に最高速に変速して音が途切れたり映像が止まったりすることを避けることができる。つまり、ＡＶデータファイルの再生と通常のデータファイルの読出しとの区分けを適正に行える。
【００４０】
請求項１６記載の発明は、請求項１１ないし１３の何れか一に記載の情報再生装置において、前記計測手段は、複数回の転送レートの計測を１セットとしてその有効性を判定し、１セット内における複数回の転送レートの計測結果が同程度の転送レートであった場合にはその転送レートを有効とするようにした。
【００４１】
例えば、低速回転による読出しによりＡＶデータを再生中にユーザが再生スキップ等を行った場合、情報媒体からそのスキップ分を一気に読出して転送先となるホスト側のバッファメモリにそのデータを蓄えさせておくようにするアプリケーションがある。このようなアプリケーションが用いられる場合、転送レートが一時的に増加するため、請求項１１ないし１３の何れか一に記載の情報再生装置を実現する上で、そのままでは、情報媒体の回転速度を最高速に上げてしまい、結果として、ＡＶデータの音切れや映像画面が停止してしまう可能性がある。この点、複数回の転送レートの計測を１セットとしてその有効性を判定し、１セット内における複数回の転送レートの計測結果が同程度の転送レートであった場合にはその転送レートを有効とすることで、有効な転送レートの値として複数回の転送レートで同程度の値が返ることを条件とすることで、得られる転送レートの信頼性を向上させることができ、一時的な転送レートの変化に対処することができる。
【００４２】
請求項１７記載の発明は、請求項１３記載の情報再生装置において、前記比較手段は、前記情報媒体の回転速度を下げるためのしきい値より前記情報媒体の回転速度を上げるためのしきい値の方が大きな値に設定されている。
【００４３】
請求項１３記載の情報再生装置において、ユーザが要求するデータ転送レートが情報媒体の回転速度を切換える際のしきい値付近である場合、データ転送レートのわずかな変動によってデータ読出し中に情報媒体の回転速度の減速・増速を繰返してしまう可能性がある。この点、情報媒体の回転速度を下げるためのしきい値より情報媒体の回転速度を上げるためのしきい値の方が大きな値とすることにより、しきい値付近での転送レートでの読出し時に情報媒体の回転速度の減速・増速を繰返してしまう不具合を回避できる。
【００４４】
請求項１８記載の発明は、前記情報媒体から読出した情報を転送する前に一時的に蓄えるキャッシュメモリを備え、ユーザによる読出し要求後も前記キャッシュメモリに空き容量がある場合にはデータの先読出しを行わせる請求項１１ないし１７の何れか一に記載の情報再生装置であって、前記計測手段は、前記情報媒体からの情報読出しを最高速で行っている場合には、前記キャッシュメモリが一杯になりデータの先読出しが終了した時点で、転送レートの計測を開始するようにした。
【００４５】
請求項１１ないし１７の何れか一に記載の情報再生装置を実現する上で、情報媒体からのデータの読出しを最高速で行っている場合に、転送レートを測定するとデータ読出しのパフォーマンスを低下させてしまうが、情報媒体からの情報読出しを最高速で行っている場合には、キャッシュメモリが一杯になるということはドライブの読出し速度に対してユーザからの読出しが遅いことを意味するので、キャッシュメモリが一杯になりデータの先読出しが終了した時点で、転送レートの計測を開始させることで、最高速での読出し処理中に無用に転送レートの計測を行うことがなく、読出し処理のパフォーマンスの低下を防止できる。一方、ＡＶデータ再生時等であれば、転送レートが遅くキャッシュメモリが一杯になって先読出しが完了するため、転送レートの測定をそのまま開始させることができる。
【発明の効果】
【００４６】
請求項１記載の発明によれば、データ読出しの転送レートはユーザからの読出し要求の態様に従って決定されることから、ユーザによる読出し要求の態様に従うデータ転送レートに応じて情報媒体の回転速度を決定するようにしたので、例えば、ＡＶデータの再生時のようにデータ転送レートが低くてもよい場合には情報媒体の回転速度を下げることで、必要以上に高速で読出すことを避け、高速回転による騒音や消費電力の低減を図ることができる一方、例えば同じＡＶデータのファイルであってもリッピング等の態様でのデータ読出しの場合には情報媒体の回転速度を上限まで上げることで、最高速での読出しを行わせることもできる。
【００４７】
請求項２記載の発明によれば、回転駆動される情報媒体からキャッシュメモリを介してホストに情報を読出す情報再生方法であって、データ読出しの前記キャッシュメモリから前記ホストに転送されているデータの転送レートが或るしきい値以下の場合には前記情報媒体の回転速度を下げて情報を読出すようにしたので、基本的には、請求項１記載の場合と同様であるが、特に、音楽ＣＤといったＡＶデータを再生させる読出し要求の態様の場合には、データ読出しの転送レートが通常のデータ読出しに比べて十分に低いため、その転送レートを計測し、予め設定されている或るしきい値以下の場合には情報媒体の回転速度を下げることにより、音楽ＣＤといったＡＶデータの再生に好適に対処することができる。
【００４８】
請求項３記載の発明によれば、回転駆動される情報媒体からキャッシュメモリを介してホストに情報を読出す情報再生方法であって、データ読出しの前記キャッシュメモリから前記ホストに転送されているデータの転送レートが或るしきい値を越えた場合には前記情報媒体の回転速度を上げて情報を読出すようにしたので、基本的には、請求項１記載の場合と同様であるが、特に、音楽ＣＤといったＡＶデータが記録された情報媒体であってもそのデータの吸出しを行わせる読出し要求の態様の場合には、データ読出しの転送レートとして高速性が要求されるため、その転送レートを計測し、予め設定されている或るしきい値を越える場合には情報媒体の回転速度を例えば上限値に上げることにより、データの吸出しに関しては高速で読出しを行わせることができる。
【００４９】
請求項４記載の発明によれば、例えばAVデータが記録されている同一の情報媒体に関して、ユーザにより、ＡＶデータの再生とＡＶデータの吸出しとが交互に要求される場合もあるが、データの読出しを行っている間は常に転送レートを計測し、しきい値を境として、情報媒体の回転速度を低速側と高速側とに切換え制御することにより、再生時には低速回転、データ吸出し時には高速回転させることができ、よって、ＡＶデータ再生時には騒音やデータの読み誤りの問題を抑えることができ、データ吸出し時には高速で処理させることができる。
【００５０】
請求項５記載の発明によれば、請求項２ないし４の何れか一に記載の情報再生方法において、ＡＶデータ再生時には、一般に、ユーザからの読出し要求は定期的に発行される傾向にあり、これがＡＶデータ再生中であるか否かを判断する一つの材料となり得る点に着目し、ユーザからの読出し要求の発行の有無を監視し、データ読出しの転送レートの計測中に前記読出し要求の発行が一定時間以上にわたって来なかった場合にはデータ読出しの転送レートの計測をやり直すようにしたので、転送レートの計測の精度を向上させることができ、よって、通常のデータファイルの読出しを低速で行ったり、ＡＶデータ再生中に最高速に変速して音が途切れたり映像が止まったりすることを避けることができ、ＡＶデータファイルの再生と通常のデータファイルの読出しとの区分けを適正に行うことができる。
【００５１】
請求項６記載の発明によれば、請求項２ないし４の何れか一に記載の情報再生方法において、ＡＶデータ再生時には、一般に、ユーザからの読出し要求における読出しアドレスは昇順になっており、これがＡＶデータ再生中であるか否かを判断する一つの材料となり得る点に着目し、ユーザからの読出し要求における読出しアドレスを監視し、データ読出しの転送レートの計測中に前記読出し要求があった読出しアドレスが昇順になっていない場合にはデータ読出しの転送レートの計測をやり直すようにしたので、転送レートの計測の精度を向上させることができ、よって、通常のデータファイルの読出しを低速で行ったり、ＡＶデータ再生中に最高速に変速して音が途切れたり映像が止まったりすることを避けることができ、ＡＶデータファイルの再生と通常のデータファイルの読出しとの区分けを適正に行うことができる。
【００５２】
請求項７記載の発明によれば、請求項２ないし４の何れか一に記載の情報再生方法において、複数回の転送レートの計測を１セットとしてその有効性を判定し、１セット内における複数回の転送レートの計測結果が同程度の転送レートであった場合にはその転送レートを有効とするようにしたので、得られる転送レートの信頼性を向上させることができ、一時的な転送レートの変化に対処することができる。
【００５３】
請求項８記載の発明によれば、請求項４記載の情報再生方法において、情報媒体の回転速度を下げるためのしきい値より前記情報媒体の回転速度を上げるためのしきい値の方が大きな値としたので、しきい値付近の転送レートでの読出し時に情報媒体の回転速度の減速・増速を繰返してしまう不具合を回避することができる。
【００５４】
請求項９記載の発明によれば、情報媒体から読出した情報を転送する前に一時的に蓄えるキャッシュメモリを用い、ユーザによる読出し要求後も前記キャッシュメモリに空き容量がある場合にはデータの先読出しを行わせる請求項２ないし８の何れか一に記載の情報再生方法であって、前記情報媒体からの情報読出しを最高速で行っている場合には、前記キャッシュメモリが一杯になりデータの先読出しが終了した時点で、転送レートの計測を開始させるようにしたので、最高速での読出し処理中に無用に転送レートの計測を行うことがなく、読出し処理のパフォーマンスの低下を防止することができる。
【００５５】
請求項１０記載の発明によれば、データ読出しの転送レートはユーザからの読出し要求の態様に従って決定されることから、ユーザによる読出し要求の態様に従うデータ転送レートに応じて情報媒体の回転速度を決定するようにしたので、例えば、ＡＶデータの再生時のようにデータ転送レートが低くてもよい場合には情報媒体の回転速度を下げることで、必要以上に高速で読出すことを避け、高速回転による騒音や消費電力の低減を図ることができる一方、例えば同じＡＶデータのファイルであってもリッピング等の態様でのデータ読出しの場合には情報媒体の回転速度を上限まで上げることで、当該情報再生装置の性能を最大限活かすために最高速での読出しを行わせることもできる。
【００５６】
請求項１１記載の発明によれば、基本的には、請求項１０記載の場合と同様であるが、特に、音楽ＣＤといったＡＶデータを再生させる読出し要求の態様の場合には、データ読出しの転送レートが通常のデータ読出しに比べて十分に低いため、データ読出しのキャッシュメモリからホストに転送されているデータの転送レートを或るしきい値と比較する比較手段と、この比較手段による比較の結果、計測した転送レートが或るしきい値以下の場合には回転速度制御手段により情報媒体の回転速度を下げるようにしたので、音楽ＣＤといったＡＶデータの再生に好適に対処することができる。
【００５７】
請求項１２記載の発明によれば、基本的には、請求項１０記載の場合と同様であるが、特に、音楽ＣＤといったＡＶデータが記録された情報媒体であってもそのデータの吸出しを行わせる読出し要求の態様の場合には、データ読出しの転送レートとして高速性が要求されるため、データ読出しのキャッシュメモリからホストに転送されているデータの転送レートを或るしきい値と比較する比較手段と、この比較手段による比較の結果、計測した転送レートが或るしきい値を越える場合には回転速度制御手段により情報媒体の回転速度を例えば上限値に上げるようにしたので、データの吸出しに関しては当該情報再生装置の性能を最大限活かすために高速で読出しを行わせることができる。
【００５８】
請求項１３記載の発明によれば、例えばAVデータが記録されている同一の情報媒体に関して、ユーザにより、ＡＶデータの再生とＡＶデータの吸出しとが交互に要求される場合もあるが、データの読出しを行っている間は計測手段により常に転送レートを計測し、比較手段による比較の結果、しきい値を境として、情報媒体の回転速度を回転速度制御手段により低速側と高速側とに切換え制御するようにしたので、再生時には低速回転、データ吸出し時には高速回転させることができ、よって、ＡＶデータ再生時には騒音やデータの読み誤りの問題を抑えることができ、データ吸出し時には当該情報再生装置の性能を最大限活かすために高速で処理させることができる。
【００５９】
請求項１４記載の発明によれば、請求項１１ないし１３の何れか一に記載の情報再生装置において、ＡＶデータ再生時には、一般に、ユーザからの読出し要求は定期的に発行される傾向にあり、これがＡＶデータ再生中であるか否かを判断する一つの材料となり得る点に着目し、ユーザからの読出し要求の発行の有無を一定時間にわたって監視する監視手段と、この監視手段による監視の結果、データ読出しの転送レートの計測中に前記読出し要求の発行が一定時間以上にわたって来なかった場合にはデータ読出しの転送レートの計測をやり直す再計測手段と、を備えることで、転送レートの計測の精度を向上させることができ、よって、通常のデータファイルの読出しを低速で行ったり、ＡＶデータ再生中に最高速に変速して音が途切れたり映像が止まったりすることを避けることができ、ＡＶデータファイルの再生と通常のデータファイルの読出しとの区分けを適正に行うことができる。
【００６０】
請求項１５記載の発明によれば、請求項１１ないし１３の何れか一に記載の情報再生装置において、ＡＶデータ再生時には、一般に、ユーザからの読出し要求における読出しアドレスは昇順になっており、これがＡＶデータ再生中であるか否かを判断する一つの材料となり得る点に着目し、ユーザからの読出し要求における読出しアドレスが昇順であるか否かを監視するアドレス監視手段と、このアドレス監視手段による監視の結果、データ読出しの転送レートの計測中に前記読出し要求があった読出しアドレスが昇順になっていない場合にはデータ読出しの転送レートの計測をやり直す再計測手段と、を備えることで、転送レートの計測の精度を向上させることができ、よって、通常のデータファイルの読出しを低速で行ったり、ＡＶデータ再生中に最高速に変速して音が途切れたり映像が止まったりすることを避けることができ、ＡＶデータファイルの再生と通常のデータファイルの読出しとの区分けを適正に行うことができる。
【００６１】
請求項１６記載の発明によれば、請求項１１ないし１３の何れか一に記載の情報再生装置において、複数回の転送レートの計測を１セットとしてその有効性を判定し、１セット内における複数回の転送レートの計測結果が同程度の転送レートであった場合にはその転送レートを有効とすることで、得られる転送レートの信頼性を向上させることができ、一時的な転送レートの変化に対処することができる。
【００６２】
請求項１７記載の発明によれば、請求項１３記載の情報再生装置において、情報媒体の回転速度を下げるためのしきい値より情報媒体の回転速度を上げるためのしきい値の方が大きな値としたので、しきい値付近での転送レートでの読出し時に情報媒体の回転速度の減速・増速を繰返してしまう不具合を回避することができる。
【００６３】
請求項１８記載の発明によれば、情報媒体から読出した情報を転送する前に一時的に蓄えるキャッシュメモリを備え、ユーザによる読出し要求後も前記キャッシュメモリに空き容量がある場合にはデータの先読出しを行わせる請求項１１ないし１７の何れか一に記載の情報再生装置であって、計測手段は、情報媒体からの情報読出しを最高速で行っている場合には、キャッシュメモリが一杯になりデータの先読出しが終了した時点で、転送レートの計測を開始するようにしたので、最高速での読出し処理中に無用に転送レートの計測を行うことがなく、読出し処理のパフォーマンスの低下を防止することができる。
【発明を実施するための最良の形態】
【００６４】
本発明の第一の実施の形態を図１ないし図３に基づいて説明する。まず、図１に本実施の形態が適用される情報再生装置の概略構成を示す。本実施の形態は、いわゆるパソコン等のホスト１に一体又は別体で組み込まれて使用される光ディスクドライブ２への適用例を示し、情報媒体３としては本来のデータ用のＣＤ−ＲＯＭ等の他、特に音楽ＣＤ（ＣＤ−ＤＡ）やビデオＣＤ、或いはＣＤに記録したＷＡＶファイル、ＭＰ３ファイルといったＡＶデータが対象となる。これらのＡＶデータは、ホスト１に搭載したＵＳＢスピーカで音声として再生したり、ディスプレイ等を通じて映像画面として表示させたりする他、メモリ等にデータ吸い上げさせることが可能なシステムとして構成されている。
【００６５】
光ディスクドライブ２において、情報媒体３はモータであるスピンドルモータ４により回転駆動される。また、このスピンドルモータ４により回転駆動される情報媒体３に対してレーザ光を集光照射させる光ピックフップ５が粗動モータ６により媒体半径方向にシーク移動自在に設けられている。この光ピックアップ５は、レーザ光を発する半導体レーザ、レーザ光を集光させるための対物レンズ、情報媒体３からの反射光を受光して再生信号、その他の各種信号を検出する受光検出系等を備えている。ここに、光ピックアップ５中の受光検出系により検出された再生信号（読出し情報）は、信号処理系７による処理を経て一旦キャッシュメモリ８に蓄えられ、外部インタフェース９を介してホスト１側に転送される。また、スピンドルモータ４、光ピックアップ５、粗動モータ６に対しては各々制御系１０，１１，１２が設けられ、マイクロコンピュータ構成にコントローラ１３によりこれらの制御系１０，１１，１２及びキャッシュメモリ８が制御される。コントローラ１３はこれらの制御の他、ホスト１を通じてのユーザからの読出し要求の態様の把握、データ転送レートの把握、その他の各種制御を受け持ち、後述するような各種機能を実現する。
【００６６】
このような構成において、ホスト１を通じてユーザからデータ読出し要求があった場合にコントローラ１３により実行される読出し処理制御例の概略を図２のフローチャートを参照して説明する。
【００６７】
まず、データ読出し要求があると（ステップＳ１）、回転制御系１０の制御を通じてスピンドルモータ４により情報媒体３を所定の回転速度で回転させながら光ピックアップ５により情報媒体３からデータの読出しを開始し（Ｓ２）、読出したデータをキャッシュメモリ８に順次蓄えながら外部インタフェース９を介してホスト１側に転送する。このときの平均転送レートを計測する（Ｓ３）。このステップＳ３の処理が計測手段の機能として実行される。そして、計測された平均転送レートの値を予め設定されている或るしきい値と比較する（Ｓ４）。このステップＳ４の処理が比較手段の機能として実行される。この比較の結果、平均転送レートがしきい値より大きければ（Ｓ４のＮ）、そのままの媒体回転速度で読出し処理を行わせ、読出し処理終了に至る（Ｓ７）。
【００６８】
一方、平均転送レートがしきい値以下の場合には（Ｓ４のＹ）、現在の媒体回転速度が最高速であるか否かを判定し（Ｓ５）、最高速で読出しを行っていなければ（＝低速読出し）（Ｓ５のＮ）、そのままの回転速度で読出し処理を行わせ、読出し処理終了に至る（Ｓ７）。しかし、最高速で読出しを行っていれば（Ｓ５のＹ）、情報媒体３の回転速度を所定の再生速度に減速させて読出しを行わせ（Ｓ６）、読出し処理終了に至る（Ｓ７）。ステップＳ６の処理が情報媒体３の回転速度を下げる回転速度制御手段の機能として実行される。
【００６９】
ここに、ステップＳ３の平均転送レートの計測処理例を図３のフローチャートに示す。平均転送レート計測が開始されると（Ｓ８）、まず、計測開始時間を測定する（Ｓ９）。その後、ユーザからの読出し要求に従い外部インタフェース９を介してホスト１に転送したブロック数を累積し（Ｓ１０）、累積（サンプリング）ブロック数が所定のブロック数だけサンプリングされたかどうかの判定を行う（Ｓ１１）。転送ブロック数のサンプリングが終了していなければ（Ｓ１１のＮ）、サンプリングを続けて行うが（Ｓ１０）、サンプリングが終了した場合（Ｓ１１のＹ）、開始時間からの転送レート計測時間の差と転送ブロック数とから平均転送レートを計算して（Ｓ１２）、平均転送レート計測を終了する（Ｓ１３）。
【００７０】
ここに、本実施の形態は、情報媒体３からの読出しにおいて、同じファイルを読出す場合であっても、ユーザがホスト１を通じて要求する読出しの態様によって読出しの転送レートが異なる点に着目し、平均転送レートを計測することで、読出しの態様の違いに合わせて低速読出しにするか最高速のままでの読出しにするかを切換え制御させるようにしたものである。例えば、同じＷＡＶファイルを読出す場合であっても、ユーザによりＷＡＶ再生なる読出しが要求された場合には、ホスト１側に対するデータ転送レートが低いことから（Ｓ３，Ｓ４のＹ）、最高速で回転駆動中であれば、所定の再生速度に低下させて読出しを行わせる（Ｓ６）ことで、必要以上に高速でＷＡＶ再生を行ってしまうことを避けることができる。この結果、高速回転による騒音や消費電力の問題を解決できるとともに、データを誤って読出す可能性も低減させることができる。一方、同じＷＡＶファイルを読出す場合であっても、ユーザによりＷＡＶデータ吸出しなる読出しが要求された場合には、ホスト１側に対するデータ転送レートが高いことから（Ｓ３，Ｓ４のＮ）、当該光ディスクドライブ２の性能を最大限活かすために高速で処理させることができる。
【００７１】
本発明の第二の実施の形態を図４に基づいて説明する。第一の実施の形態で示した部分と同一部分は同一符号を用いて示し、説明も省略する（以降の各実施の形態でも同様とする）。基本的には、第一の実施の形態の場合と同様であり、ユーザからデータ読出し要求がくると（Ｓ１）、データの読出しを開始し（Ｓ２）、平均転送レートの計測を行う（Ｓ３）。計測の結果、平均転送レートが予め設定された或るしきい値以上であるかどうかの比較を行う（Ｓ１４）。このステップＳ１４の処理が比較手段の機能として実行される。比較の結果、平均転送レートがしきい値以下であれば（Ｓ１４のＮ）、そのままの回転速度で情報媒体３からの読出しを行い、読出し処理を終了するが（Ｓ７）、平均転送レートがしきい値以上になっている場合には（Ｓ１４のＹ）、現在、所定の再生速度で読出しを行っているかどうかの判定を行う（Ｓ１５）。所定の再生速度で読出しを行っていなければ（Ｓ１５のＮ）、そのままの速度で読出しを行い、読出し処理を終了するが（Ｓ７）、所定の再生速度で読出しを行っていた場合には（Ｓ１５のＹ）、読出し速度を最高速に上げて読み込みを行い（Ｓ１６）、読出し処理を終了する（Ｓ７）。ステップＳ１６の処理が情報媒体３の回転速度を上げる回転速度制御手段の機能として実行される。
【００７２】
従って、本実施の形態によれば、特に、音楽ＣＤといったＡＶデータが記録された情報媒体であってもそのデータの吸出しを行わせるユーザからの読出し要求の態様の場合には、データ読出しの平均転送レートとして高速性が要求されるため、その平均転送レートを計測手段により計測し（Ｓ３）、比較手段による比較の結果、予め設定されている或るしきい値を越える場合には（Ｓ１４のＹ）、回転速度制御手段により情報媒体の回転速度を例えば上限値に上げる（Ｓ１６）ことにより、データの吸出しに関しては当該情報再生装置の性能を最大限活かすために高速で読出しを行える。
【００７３】
本発明の第三の実施の形態を図５に基づいて説明する。本実施の形態は、基本的に、第一及び第二の実施の形態を組合わせた場合の適用例を示す。ホスト１を通じてユーザからデータ読出し要求がくると（Ｓ１）、データの読出しを開始し（Ｓ２）、平均転送レートの計測を行う（Ｓ３）。計測の結果、平均転送レートが所定のしきい値以下か否かの比較を行う（Ｓ４）。比較の結果、平均転送レートがしきい値以下であれば（Ｓ４のＹ）、現在の読出し速度が最高速であるか否かの判定を行う（Ｓ５）。最高速で読出しを行っていなければ（Ｓ５のＮ）、そのままの速度で読出しを行うが、最高速で読出しを行っていた場合（Ｓ５のＹ）、読出し速度を所定の再生速度に減速して読み込みを行う（Ｓ６）。
【００７４】
一方、平均転送レートが所定のしきい値を越えていた場合（Ｓ４のＮ）、現在の読出し速度が所定の再生速度であるか否かの判定を行う（Ｓ１５）。再生速度で読出しを行っていなければ（Ｓ１５のＮ）、そのままの速度で読出しを行うが、再生速度で読出しを行っていた場合（Ｓ１５のＹ）、読出し速度を最高速に変速して読み込みを行う（Ｓ１６）。その後、読出し処理が終了していなければ（Ｓ１７）、引き続き、転送レートの計測を行い（Ｓ３）、読出し処理が終了していれば、処理を終了する（Ｓ７）。
【００７５】
従って、例えばAVデータが記録されている同一の情報媒体３に関して、ユーザにより、ＡＶデータの再生とＡＶデータの吸出しとが交互に要求される場合もあるが、本実施の形態によれば、データの読出しを行っている間は計測手段により常に平均転送レートを計測し（Ｓ３）、比較手段による比較の結果（Ｓ４）、しきい値を境として、情報媒体３の回転速度を回転速度制御手段により低速側と高速側とに切換え制御することにより（Ｓ６，Ｓ１６）、再生時には低速回転、データ吸出し時には高速回転させることができ、よって、ＡＶデータ再生時には騒音やデータの読み誤りの問題を抑えることができ、データ吸出し時には当該情報再生装置の性能を最大限活かすために高速で処理させることができる。
【００７６】
本発明の第四の実施の形態を図６に基づいて説明する。本実施の形態は、例えば、ＡＶデータの再生時には、一般に、ユーザからのデータ読出し要求が定期的に発行される点で通常のデータファイルの読出し時とは異なる傾向を示す点に着目し、前述した第一ないし第三の実施の形態を実現する上で必要な平均転送レートの計測処理の精度を向上させるようにしたものである。
【００７７】
平均転送レートの計測が開始されると（Ｓ８）、まず、計測開始時間を測定する（Ｓ９）。そして、ユーザからの読出し要求によりホスト１に転送したブロック数の累積を行い（Ｓ１０）、一定時間の後、累積(サンプル)ブロック数が増加しているか否かの判定を行う（Ｓ１８）。サンプルブロック数が増加していなければ（Ｓ１８のＮ）、所定の一定時間経過しているか否かの判定を行い（Ｓ１９）、経過していなければ（Ｓ１９のＮ）、引き続き、転送ブロックのサンプリングを行い（Ｓ１０）、所定の一定時間経過していれば（Ｓ１９のＹ）、新たに転送レート計測を開始する（Ｓ９）。即ち、ステップＳ１８，Ｓ１９の処理が監視手段の機能として実行され、ステップＳ１９のＹ，Ｓ９の処理が再計測手段の機能として実行される。その後、累積ブロック数が所定のブロック数だけ累積され、サンプリングが終了した場合（Ｓ１１のＹ）、開始時間からの転送レート計測時間の差と転送ブロック数とから平均転送レートを計算して（Ｓ１２）、平均転送レート計測を終了する（Ｓ１３）。
【００７８】
即ち、転送レートの計測はＡＶデータファイルと通常のデータファイルとの区別なく行うものであり、前述した第一ないし第三の実施の形態を実現する上で、通常のデータファイルの読出しを低速で行ったり、ＡＶデータ再生中に最高速に変速して音が途切れたり映像が止まったりすることを避けるためには、ステップＳ３におけるデータ読出しの平均転送レートの計測を誤らないようにする必要がある。例えば、通常のデータファイルの読出しにおいて、ユーザからの読出し要求が一時中断された後に、データファイルの読出しが再開される場合などでは、平均転送レートが実際よりも低く計測されてしまう傾向にある。この点、ＡＶデータ再生時には、一般に、ユーザからの読出し要求は定期的に発行される傾向にあり、これがＡＶデータ再生中であるか否かを判断する一つの材料となり得る。即ち、アプリケーションがどのように読出しを行ってくるかによるものの、一般には、ＡＶデータの読出し要求発行タイミングも或る程度の周期をもって定期的に発行される。これに対して、通常のデータファイルの読出しは、ランダムであり、定期性がなく、ユーザが操作を行っていない時には読出し処理も中断される。
【００７９】
このような点を考慮し、本実施の形態では、ステップＳ３に示す平均転送レートの計測において、読出し要求の発行が一定時間以上にわたって来なかった場合には（Ｓ１８のＮ，Ｓ１９のＹ）、通常のデータファイルの読出しである可能性が高いと見做し、平均転送レートの計測をやり直させる（Ｓ１９のＹ，Ｓ９）ことにより、計測の精度が向上するため、通常のデータファイルの読出しを低速で行ったり、ＡＶデータ再生中に最高速に変速して音が途切れたり映像が止まったりすることを避けることができる。つまり、ＡＶデータファイルの再生と通常のデータファイルの読出しとの区分けを適正に行える。
【００８０】
本発明の第五の実施の形態を図７に基づいて説明する。本実施の形態は、例えば、ＡＶデータの再生時には、一般に、ユーザからのデータ読出し要求がアドレス昇順で発行される点で通常のデータファイルの読出し時とは異なる傾向を示す点に着目し、前述した第一ないし第三の実施の形態を実現する上で必要な平均転送レートの計測処理の精度を向上させるようにしたものである。
【００８１】
平均転送レートの計測が開始されると（Ｓ８）、まず、計測開始時間を測定する（Ｓ９）。そして、ユーザからの読出し要求によりホスト１に転送したブロック数の累積を行い（Ｓ１０）、その読出しアドレスが昇順になっているか否かの判定を行う（Ｓ２０）。読出しアドレスが昇順になっていなければ（Ｓ２０のＮ）、新たに転送レート計測を開始する（Ｓ９）。アドレスが昇順になっていれば（Ｓ２０のＹ）、引き続きサンプリングを行い、累積ブロック数が所定のブロック数だけサンプリングされたか否かの判定を行う（Ｓ１１）。即ち、ステップＳ２０の処理が監視手段の機能として実行され、ステップＳ２０のＹ，Ｓ９の処理が再計測手段の機能として実行される。転送ブロック数のサンプリングが終了していなければ（Ｓ１１のＮ）、サンプリングを続けて行うが（Ｓ１０）、サンプリングが終了した場合（Ｓ１１のＹ）、開始時間からの転送レート計測時間の差と転送ブロック数とから平均転送レートを計算して（Ｓ１２）、平均転送レート計測を終了する（Ｓ１３）。
【００８２】
即ち、転送レートの計測はＡＶデータファイルと通常のデータファイルとの区別なく行うものであり、前述した第一ないし第三の実施の形態を実現する上で、通常のデータファイルの読出しを低速で行ったり、ＡＶデータ再生中に最高速に変速して音が途切れたり映像が止まったりすることを避けるためには、ステップＳ３におけるデータ読出しの平均転送レートの計測を誤らないようにする必要がある。例えば、通常のデータファイルの読出しにおいて、ユーザからの読出し要求が一時中断された後に、データファイルの読出しが再開される場合などでは、平均転送レートが実際よりも低く計測されてしまう傾向にある。この点、ＡＶデータ再生時には、一般に、ユーザからの読出し要求は読出しアドレスが昇順となる形で発行される傾向にあり、これがＡＶデータ再生中であるか否かを判断する一つの材料となり得る。例えば、オーディオディスクなどでは内周から外周に向けて順番にデータが並んでおり、ビデオデータやＷＡＶデータ、ＭＰ３データも同様の順番に並ぶのが一般的であり、ユーザからの読出し要求におけるアドレスは、或る読出し要求においてアドレスＸから長さＹを読出した場合、次の読出し要求ではアドレス（Ｘ＋Ｙ）から要求される如く、アドレス昇順となる形が通常である。これに対して、通常のデータファイルの読出しの場合には、ファイル情報を読んだり、ファイル本体を読んだりと、読出し要求のアドレスはランダムである。
【００８３】
このような点を考慮し、本実施の形態では、ステップＳ３に示す平均転送レートの計測において、読出し要求のアドレスが昇順になっていない場合には（Ｓ２０のＮ）、通常のデータファイルの読出しである可能性が高いと見做し、平均転送レートの計測をやり直させる（Ｓ９）ことにより、計測の精度が向上するため、通常のデータファイルの読出しを低速で行ったり、ＡＶデータ再生中に最高速に変速して音が途切れたり映像が止まったりすることを避けることができる。
【００８４】
本発明の第六の実施の形態を図８に基づいて説明する。本実施の形態も、前述した第一ないし第三の実施の形態を実現する上で必要な平均転送レートの計測処理の精度を向上させるようにしたものである。具体的には、例えば、低速回転による読出しによりＡＶデータを再生中にユーザが再生スキップ等を行った場合、情報媒体３からそのスキップ分を一気に読出して転送先となるホスト１側のバッファメモリにそのデータを蓄えさせておくようにするアプリケーションがあるが、このようなアプリケーションに対処し得る平均転送レートの計測処理を提供するものである。
【００８５】
平均転送レート計測が開始されると（Ｓ８）、まず、計測開始時間を測定し（Ｓ９）、ユーザからの読出し要求によりホスト１に転送したブロック数の累積を行う（Ｓ１０）。累積（サンプリング）ブロック数が所定のブロック数だけサンプリングされたか否かの判定を行い（Ｓ１１）、転送ブロック数のサンプリングが終了していなければ（Ｓ１１のＮ）、サンプリングを続けて行う（Ｓ１０）。サンプリングが終了した場合（Ｓ１１のＹ）、平均転送レートの計算が１セットとなる所定の回数だけ行われたか否かを判定する（Ｓ２１）。所定回数計測が行われていなければ（Ｓ２１のＮ）、引き続き、平均転送レートの計測を行う（Ｓ９）。１セット分の所定の回数だけ平均転送レートの計測が行われていた場合（Ｓ２１のＹ）、それらの複数回の平均転送レートの値が同程度の値であるか否かを判定する（Ｓ２２）。同程度の値であれば（Ｓ２２のＹ）、その値は有効であるとして、平均転送レート計測を終了するが（Ｓ１３）、ばらつきが大きかったりした場合には（Ｓ２２のＮ）、その値は無効として計測をやり直す（Ｓ９）。
【００８６】
従って、本実施の形態によれば、複数回の平均転送レートの計測を１セットとしてその有効性を判定し、１セット内における複数回の平均転送レートの計測結果が同程度の転送レートであった場合にはその平均転送レートを有効とするものである。つまり、有効な平均転送レートの値として複数回の平均転送レートで同程度の値が返ることを条件とすることで、得られる平均転送レートの信頼性を向上させることができ、前述したアプリケーションにより平均転送レートが一時的に増加するような一時的な転送レートの変化に対処することができる。
【００８７】
本発明の第七の実施の形態を図９に基づいて説明する。本実施の形態は、前述した第三の実施の形態に適用される。
【００８８】
ユーザからデータ読出し要求がくると（Ｓ１）、データの読出しを開始し（Ｓ２）、平均転送レートの計測を行う（Ｓ３）。次に、データの読出しを最高速で行っているかどうかを判定し（Ｓ５）、最高速で行っていれば（Ｓ５のＹ）、計測された平均転送レートが予め設定された所定のしきい値Ｍ以下であるか否かを比較する（Ｓ２３）。このステップＳ２３の処理が比較手段の機能として実行される。比較の結果、平均転送レートがしきい値Ｍ以下でなければ（Ｓ２３のＮ）、そのままの速度で読出しを行うが、しきい値Ｍ以下であった場合（Ｓ２３のＹ）、読出し速度を所定の再生速度に減速して読み込みを行う（Ｓ６）。
【００８９】
一方、データの読出しを最高速で行っていなければ（Ｓ５のＮ）、計測された平均転送レートが予め設定されている所定のしきい値Ｎ以上であるか否かの判定を行う（Ｓ２４）。このステップＳ２４の処理も比較手段の機能として実行されるが、本実施の形態では、これらのしきい値Ｍ，Ｎが異なる値であって、Ｍ＜Ｎなる関係に設定されている。平均転送レートがしきい値Ｎ以上を越えていなければ（Ｓ２４のＮ）、そのままの速度で読出しを行うが、しきい値Ｎを越えている場合には（Ｓ２４のＹ）、読出し速度を最高速に変速して読み込みを行う（Ｓ１６）。その後、読出し処理が終了していなければ（Ｓ１７のＮ）、引き続き、転送レートの計測を行い（Ｓ３）、読出し処理が終了していれば（Ｓ１７のＹ）、処理を終了する（Ｓ７）。
【００９０】
このように、本実施の形態によれば、情報媒体３の回転速度を下げるためのしきい値Ｍより情報媒体３の回転速度を上げるためのしきい値Ｎの方が大きな値（Ｍ，Ｎ）とすることにより、ユーザが要求するデータ転送レートが情報媒体の回転速度を切換える際のしきい値付近であっても、しきい値付近での転送レートでの読出し時に情報媒体の回転速度の減速・増速を繰返してしまう不具合を回避できる。
【００９１】
本発明の第八の実施の形態を図１０に基づいて説明する。本実施の形態は、前述した各実施の形態を実現する上で必要な平均転送レートの計測処理によるパフォーマンスの低下を防止するようにしたものである。
【００９２】
即ち、一般に光ディスクドライブ２は、内部にキャッシュメモリ８というバッファを持ち、先読みを行ってデータをキャッシュメモリ８に蓄えておくのが一般的である。ホスト１から読出し要求があった場合、光ディスクドライブ２は情報媒体３上の要求されたアドレスを読出し、データをホスト１に転送し、読出し要求に対する処理を終了するが、ここで読出しそのものを止めるのではなく、引き続き，情報媒体３からデータの読出しを行い、キャッシュメモリ８に蓄えておく処理を“先読み出し処理”として行い、キャッシュメモリ８が一杯になった時点で終了する。このような先読み出しによれば、予めキャッシュメモリ８にデータを蓄えておけば、読出し要求が連続的に発行された場合にこのキャッシュメモリ８内のデータをホスト１に返すだけでよくなり、情報媒体３に対するアクセスが発生しない分、読出し処理を高速化できる。
【００９３】
平均転送レートの計測の開始時（Ｓ８）、まず、現在高速で読出しを行っているか否かの判定を行う（Ｓ５）。高速で読出しを行っていなければ（Ｓ５のＮ）、転送レート計測の開始時間を測定し（Ｓ９）、通常通り、転送ブロックのサンプリングを開始する（Ｓ１０）。
【００９４】
一方、高速で読出しを行っていれば（Ｓ５のＹ）、キャッシュメモリ８に空き容量があり、先読出し処理を行っている最中であるか否かを判定する（Ｓ２５）。先読出し処理中であれば（Ｓ２５のＹ）、先読出し処理が終了するのを待ってから（Ｓ２５のＮ）、通常通り、転送レート計測の開始時間を測定し（Ｓ９）、転送ブロックのサンプリングを開始する（Ｓ１０）。その後、累積ブロック数が所定のブロック数だけサンプリングされたか否かの判定を行い（Ｓ１１）、転送ブロック数のサンプリングが終了していなければ（Ｓ１１のＮ）、サンプリングを続けて行うが（Ｓ１０）、サンプリングが終了した場合（Ｓ１１のＹ）、開始時間からの転送レート計測時間の差と転送ブロック数とから平均転送レートを計算して（Ｓ１２）、平均転送レート計測を終了する（Ｓ１３）。
【００９５】
キャッシュメモリ８に空き容量がある場合にはデータの先読出しを行うが、情報読出しを最高速で行っている場合に、データの先読出しによりキャッシュメモリ８が一杯になるということは光ディスクドライブ２の読出し速度に対してユーザからの読出しが遅いことを意味する。従って、情報読出しを最高速で行っている場合にはこのようにキャッシュメモリ８が一杯になりデータの先読出しが終了した時点で、平均転送レートの計測を開始させることで（Ｓ２５のＮ）、最高速での読出し処理中に無用に平均転送レートの計測を行うことがなく、読出し処理のパフォーマンスの低下を防止することができる。一方、ＡＶデータ再生時等であれば、元々平均転送レートが遅くキャッシュメモリ８が一杯になって先読出しが完了するため、転送レートの測定をそのまま開始させることができる（Ｓ５のＮ，Ｓ９）。
【図面の簡単な説明】
【００９６】
【図１】本発明の第一の実施の形態の光ディスクドライブを示す概略構成図である。
【図２】その読出し処理制御例を示す概略フローチャートである。
【図３】その転送レート計測処理例を示すフローチャートである。
【図４】本発明の第二の実施の形態の読出し処理制御例を示す概略フローチャートである。
【図５】本発明の第三の実施の形態の読出し処理制御例を示す概略フローチャートである。
【図６】本発明の第四の実施の形態の転送レート計測処理例を示すフローチャートである。
【図７】本発明の第五の実施の形態の転送レート計測処理例を示すフローチャートである。
【図８】本発明の第六の実施の形態の転送レート計測処理例を示すフローチャートである。
【図９】本発明の第七の実施の形態の読出し処理制御例を示す概略フローチャートである。
【図１０】本発明の第八の実施の形態の転送レート計測処理例を示すフローチャートである。
【符号の説明】
【００９７】
３  情報媒体
４  モータ
５  光ピックアップ
８  キャッシュメモリ
Ｓ３  計測手段
Ｓ４  比較手段
Ｓ６  回転速度制御手段
Ｓ１４  比較手段
Ｓ１６  回転速度制御手段
Ｓ１８，Ｓ１９  監視手段
Ｓ１９のＹ，Ｓ９  再計測手段
Ｓ２０  監視手段
Ｓ２０のＮ，S９  再計測手段
Ｓ２３，Ｓ２４  比較手段
【図１】
2006286185.tif 000003
【図２】
2006286185.tif 000004
【図３】
2006286185.tif 000005
【図４】
2006286185.tif 000006
【図５】
2006286185.tif 000007
【図６】
2006286185.tif 000008
【図７】
2006286185.tif 000009
【図８】
2006286185.tif 000010
【図９】
2006286185.tif 000011
【図１０】
2006286185.tif 000012
【手続補正書】
【提出日】平成18年8月25日(2006.8.25)
【手続補正１】
【補正対象書類名】特許請求の範囲
【補正対象項目名】全文
【補正方法】変更
【補正の内容】
【特許請求の範囲】
【請求項１】
情報媒体から読み出した情報をホストに送信する情報再生装置であって、
前記情報媒体を回転するモータと、
回転する前記情報媒体の情報を読出す光ピックアップと、を備え、
前記モータは、データのリッピング時よりＡＶデータ再生時のほうが前記情報媒体を遅く回転させる情報再生装置。
【請求項２】
前記ＡＶデータ再生時に前記情報を前記ホストに送信する転送レートは、前記リッピング時に前記情報を前記ホストに送信する転送レートより低い請求項１に記載の情報再生装置。
【請求項３】
情報媒体から読み出した情報をホストに送信する情報再生装置であって、
情報媒体を回転するモータと、
回転駆動される前記情報媒体から情報を読出す光ピックアップと、を備え、
前記モータは、
前記ホストに送信する情報の転送レートが所定の転送レートの場合、第１の回転速度で前記情報媒体を回転し、
前記ホストに送信する情報の転送レートが前記転送レートより低い場合、回転速度を前記第１の回転速度よりも低い第２の回転速度で前記情報媒体を回転させる情報再生装置。
【請求項４】
データのリッピング時には、前記第１の回転速度で前記情報媒体を回転させ、ＡＶデータ再生時には、前記第２の回転速度で前記情報媒体を回転させる請求項３に記載の情報再生装置。
【請求項５】
請求項１ないし４の何れか１項に記載の情報再生装置と、前記ホストとを備えたシステム。
【請求項６】
さらにディスプレイを有し、前記ＡＶデータは該ディスプレイにより映像画面として表示される請求項５に記載のシステム。
【請求項７】
さらにスピーカを有し、前記ＡＶデータは該スピーカにより音声として再生される請求項５に記載のシステム。
【請求項８】
情報媒体を回転するモータと、回転する前記情報媒体の情報を読出す光ピックアップと、を備えた情報再生装置を組み込んだホストであって、
前記モータは、データのリッピング時よりＡＶデータ再生時のほうが前記情報媒体を遅く回転させるホスト。
【請求項９】
情報媒体から読み出した情報をホストに送信する情報再生方法であって、
前記情報媒体を回転させる工程と、
回転する前記情報媒体の情報を読出す工程と、
データのリッピング時よりＡＶデータ再生時のほうが前記情報媒体を遅く回転させる工程と、を有する情報再生方法。
【請求項１０】
前記リッピング時に情報を前記ホストに送信する転送レートを、前記ＡＶデータ再生時に情報を前記ホストに送信する転送レートより高くする工程を有する請求項９に記載の情報再生方法。
【請求項１１】
情報媒体から読み出した情報をホストに送信する情報再生方法であって、
情報媒体を回転する工程と、
回転駆動される前記情報媒体から情報を読出す工程と、
前記ホストに送信する情報の転送レートが所定の転送レートの場合、第１の回転速度で前記情報媒体を回転する工程と、
前記ホストに送信する情報の転送レートが前記転送レートより低い場合、回転速度を前記第１の回転速度よりも低い第２の回転速度で前記情報媒体を回転させる工程と、を有する情報再生方法。
【請求項１２】
データのリッピング時には、前記第１の回転速度で前記情報媒体を回転させ、ＡＶデータ再生時には、前記第２の回転速度で前記情報媒体を回転させる請求項１１に記載の情報再生方法。
【手続補正３】
【補正対象書類名】明細書
【補正対象項目名】０００１
【補正方法】変更
【補正の内容】
【０００１】
本発明は、回転駆動される情報媒体全般、特に、ＣＤ−ＲＯＭディスク、ＣＤ−Ｒディスク、ＣＤ−ＲＷディスク等の情報媒体に記録されたＡＶデータを再生する情報再生装置、システム、ホスト、及び情報再生方法に関する。
【手続補正４】
【補正対象書類名】明細書
【補正対象項目名】０００９
【補正方法】変更
【補正の内容】
【０００９】
そこで、本発明は、種々のＡＶデータの再生時には最適な再生速度で読出しを行い、ディスクの高速回転の振動による騒音や消費電力の低減を図るとともに、高速読出しが要求される通常のデータ読出しにおいては、最高速で読出しを行うことができる情報再生装置、システム、ホスト、及び情報再生方法を提供することを目的とする。
【手続補正５】
【補正対象書類名】明細書
【補正対象項目名】００１０
【補正方法】変更
【補正の内容】
【００１０】
請求項１記載の発明は、情報媒体から読み出した情報をホストに送信する情報再生装置であって、前記情報媒体を回転するモータと、回転する前記情報媒体の情報を読出す光ピックアップと、を備え、前記モータは、データのリッピング時よりＡＶデータ再生時のほうが前記情報媒体を遅く回転させるようにした。
【手続補正６】
【補正対象書類名】明細書
【補正対象項目名】００１１
【補正方法】変更
【補正の内容】
【００１１】
従って、例えば、ＡＶデータの再生時のようにデータ転送レートが低くてもよい場合には情報媒体の回転速度を下げることで、必要以上に高速で読出すことを避け、高速回転による騒音や消費電力の低減を図ることができる。一方、例えば同じＡＶデータのファイルであってもリッピング等の態様でのデータ読出しの場合には情報媒体の回転速度を上限まで上げることで、当該情報再生装置の性能を最大限活かすために最高速での読出しを行わせることもできる。
【手続補正７】
【補正対象書類名】明細書
【補正対象項目名】００１２
【補正方法】変更
【補正の内容】
【００１２】
請求項２記載の発明は、請求項１に記載の情報再生装置において、前記ＡＶデータ再生時に前記情報を前記ホストに送信する転送レートは、前記リッピング時に前記情報を前記ホストに送信する転送レートより低くなるようにした。
【手続補正８】
【補正対象書類名】明細書
【補正対象項目名】００１３
【補正方法】変更
【補正の内容】
【００１３】
従って、基本的には、請求項１記載の場合と同様であるが、特に、音楽ＣＤといったＡＶデータを再生させる読出し要求の態様の場合には、データ読出しの転送レートが通常のデータ読出しに比べて十分に低いため、情報媒体の回転速度を下げることにより、音楽ＣＤといったＡＶデータの再生に好適に対処できる。
【手続補正９】
【補正対象書類名】明細書
【補正対象項目名】００１４
【補正方法】変更
【補正の内容】
【００１４】
請求項３記載の発明は、情報媒体から読み出した情報をホストに送信する情報再生装置であって、情報媒体を回転するモータと、回転駆動される前記情報媒体から情報を読出す光ピックアップと、を備え、前記モータは、前記ホストに送信する情報の転送レートが所定の転送レートの場合、第１の回転速度で前記情報媒体を回転し、前記ホストに送信する情報の転送レートが前記転送レートより低い場合、回転速度を前記第１の回転速度よりも低い第２の回転速度で前記情報媒体を回転させるようにした。
【手続補正１０】
【補正対象書類名】明細書
【補正対象項目名】００１５
【補正方法】変更
【補正の内容】
【００１５】
従って、基本的には、請求項１記載の場合と同様であるが、例えば、ＡＶデータの再生時のようにデータ転送レートが低くてもよい場合には情報媒体の回転速度を下げることで、必要以上に高速で読出すことを避け、高速回転による騒音や消費電力の低減を図ることができる。
【手続補正１１】
【補正対象書類名】明細書
【補正対象項目名】００１６
【補正方法】変更
【補正の内容】
【００１６】
請求項４記載の発明は、請求項３に記載の情報再生装置において、データのリッピング時には、前記第１の回転速度で前記情報媒体を回転させ、ＡＶデータ再生時には、前記第２の回転速度で前記情報媒体を回転させるようにした。
【手続補正１２】
【補正対象書類名】明細書
【補正対象項目名】００１７
【補正方法】変更
【補正の内容】
【００１７】
従って、ＡＶデータの再生時のようにデータ転送レートが低くてもよい場合には情報媒体の回転速度を下げることで、必要以上に高速で読出すことを避け、高速回転による騒音や消費電力の低減を図ることができる。一方、例えば同じＡＶデータのファイルであってもリッピング等の態様でのデータ読出しの場合には情報媒体の回転速度を上限まで上げることで、最高速での読出しを行わせることができる。
【手続補正１３】
【補正対象書類名】明細書
【補正対象項目名】００１８
【補正方法】変更
【補正の内容】
【００１８】
請求項５記載の発明は、請求項１ないし４の何れか１項に記載の情報再生装置と、前記ホストとを備えたシステムである。
【手続補正１４】
【補正対象書類名】明細書
【補正対象項目名】００１９
【補正方法】変更
【補正の内容】
【００１９】
従って、情報再生装置と、ホストとを備えたシステムにおいて、種々のＡＶデータの再生時には最適な再生速度で読出しを行い、ディスクの高速回転の振動による騒音や消費電力の低減を図るとともに、高速読出しが要求される通常のデータ読出しにおいては、最高速で読出しを行うことができる。
【手続補正１５】
【補正対象書類名】明細書
【補正対象項目名】００２０
【補正方法】変更
【補正の内容】
【００２０】
請求項６記載の発明は、請求項５に記載のシステムにおいて、さらにディスプレイを有し、前記ＡＶデータは該ディスプレイにより映像画面として表示されるようにした。
【手続補正１６】
【補正対象書類名】明細書
【補正対象項目名】００２１
【補正方法】変更
【補正の内容】
【００２１】
従って、例えばビデオＣＤ等の映像を含むＡＶデータを最適な再生速度で読出しを行いディスプレイにより映像画面として表示させることができる。
【手続補正１７】
【補正対象書類名】明細書
【補正対象項目名】００２２
【補正方法】変更
【補正の内容】
【００２２】
請求項７記載の発明は、請求項５に記載のシステムにおいて、さらにスピーカを有し、前記ＡＶデータは該スピーカにより音声として再生されるようにした。
【手続補正１８】
【補正対象書類名】明細書
【補正対象項目名】００２３
【補正方法】変更
【補正の内容】
【００２３】
従って、例えば音楽ＣＤ（ＣＤ−ＤＡ）、或いはＣＤに記録したＷＡＶファイル、ＭＰ３ファイルを最適な再生速度で読出しを行いスピーカにより音声として再生することができる。
【手続補正１９】
【補正対象書類名】明細書
【補正対象項目名】００２４
【補正方法】変更
【補正の内容】
【００２４】
請求項８記載の発明は、情報媒体を回転するモータと、回転する前記情報媒体の情報を読出す光ピックアップと、を備えた情報再生装置を組み込んだホストであって、前記モータは、データのリッピング時よりＡＶデータ再生時のほうが前記情報媒体を遅く回転させるようにした。
【手続補正２０】
【補正対象書類名】明細書
【補正対象項目名】００２５
【補正方法】変更
【補正の内容】
【００２５】
従って、情報再生装置を組み込んだホストにおいて、ＡＶデータの再生時のようにデータ転送レートが低くてもよい場合には情報媒体の回転速度を下げることで、必要以上に高速で読出すことを避け、高速回転による騒音や消費電力の低減を図ることができる。一方、例えば同じＡＶデータのファイルであってもリッピング等の態様でのデータ読出しの場合には情報媒体の回転速度を上限まで上げることで、最高速での読出しを行わせることができる。
【手続補正２１】
【補正対象書類名】明細書
【補正対象項目名】００２６
【補正方法】変更
【補正の内容】
【００２６】
請求項９記載の発明は、情報媒体から読み出した情報をホストに送信する情報再生方法であって、前記情報媒体を回転させる工程と、回転する前記情報媒体の情報を読出す工程と、データのリッピング時よりＡＶデータ再生時のほうが前記情報媒体を遅く回転させる工程と、を有する。
【手続補正２２】
【補正対象書類名】明細書
【補正対象項目名】００２７
【補正方法】変更
【補正の内容】
【００２７】
従って、例えば、ＡＶデータの再生時のようにデータ転送レートが低くてもよい場合には情報媒体の回転速度を下げることで、必要以上に高速で読出すことを避け、高速回転による騒音や消費電力の低減を図ることができる。一方、例えば同じＡＶデータのファイルであってもリッピング等の態様でのデータ読出しの場合には情報媒体の回転速度を上限まで上げることで、最高速での読出しを行わせることもできる。
【手続補正２３】
【補正対象書類名】明細書
【補正対象項目名】００２８
【補正方法】変更
【補正の内容】
【００２８】
請求項１０記載の発明は、請求項９に記載の情報再生方法において、前記リッピング時に情報を前記ホストに送信する転送レートを、前記ＡＶデータ再生時に情報を前記ホストに送信する転送レートより高くする工程を有する。
【手続補正２４】
【補正対象書類名】明細書
【補正対象項目名】００２９
【補正方法】変更
【補正の内容】
【００２９】
従って、例えば同じＡＶデータのファイルであってもリッピング等の態様でのデータ読出しの場合には情報媒体の回転速度を上限まで上げることで、最高速での読出しを行わせることができる。
【手続補正２５】
【補正対象書類名】明細書
【補正対象項目名】００３０
【補正方法】変更
【補正の内容】
【００３０】
請求項１１記載の発明は、情報媒体から読み出した情報をホストに送信する情報再生方法であって、情報媒体を回転する工程と、回転駆動される前記情報媒体から情報を読出す工程と、前記ホストに送信する情報の転送レートが所定の転送レートの場合、第１の回転速度で前記情報媒体を回転する工程と、前記ホストに送信する情報の転送レートが前記転送レートより低い場合、回転速度を前記第１の回転速度よりも低い第２の回転速度で前記情報媒体を回転させる工程と、を有する。
【手続補正２６】
【補正対象書類名】明細書
【補正対象項目名】００３１
【補正方法】変更
【補正の内容】
【００３１】
従って、基本的には、請求項９記載の場合と同様であるが、例えば、ＡＶデータの再生時のようにデータ転送レートが低くてもよい場合には情報媒体の回転速度を下げることで、必要以上に高速で読出すことを避け、高速回転による騒音や消費電力の低減を図ることができる。
【手続補正２７】
【補正対象書類名】明細書
【補正対象項目名】００３２
【補正方法】変更
【補正の内容】
【００３２】
請求項１２記載の発明は、請求項１１に記載の情報再生方法において、データのリッピング時には、前記第１の回転速度で前記情報媒体を回転させ、ＡＶデータ再生時には、前記第２の回転速度で前記情報媒体を回転させる。
【手続補正２８】
【補正対象書類名】明細書
【補正対象項目名】００３３
【補正方法】変更
【補正の内容】
【００３３】
従って、ＡＶデータの再生時のようにデータ転送レートが低くてもよい場合には情報媒体の回転速度を下げることで、必要以上に高速で読出すことを避け、高速回転による騒音や消費電力の低減を図ることができる。一方、例えば同じＡＶデータのファイルであってもリッピング等の態様でのデータ読出しの場合には情報媒体の回転速度を上限まで上げることで、最高速での読出しを行わせることができる。
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】削除
【補正の内容】
【手続補正３３】
【補正対象書類名】明細書
【補正対象項目名】００３８
【補正方法】削除
【補正の内容】
【手続補正３４】
【補正対象書類名】明細書
【補正対象項目名】００３９
【補正方法】削除
【補正の内容】
【手続補正３５】
【補正対象書類名】明細書
【補正対象項目名】００４０
【補正方法】削除
【補正の内容】
【手続補正３６】
【補正対象書類名】明細書
【補正対象項目名】００４１
【補正方法】削除
【補正の内容】
【手続補正３７】
【補正対象書類名】明細書
【補正対象項目名】００４２
【補正方法】削除
【補正の内容】
【手続補正３８】
【補正対象書類名】明細書
【補正対象項目名】００４３
【補正方法】削除
【補正の内容】
【手続補正３９】
【補正対象書類名】明細書
【補正対象項目名】００４４
【補正方法】削除
【補正の内容】
【手続補正４０】
【補正対象書類名】明細書
【補正対象項目名】００４５
【補正方法】削除
【補正の内容】
【手続補正４１】
【補正対象書類名】明細書
【補正対象項目名】００４６
【補正方法】変更
【補正の内容】
【００４６】
請求項１記載の発明によれば、例えば、ＡＶデータの再生時のようにデータ転送レートが低くてもよい場合には情報媒体の回転速度を下げることで、必要以上に高速で読出すことを避け、高速回転による騒音や消費電力の低減を図ることができる一方、例えば同じＡＶデータのファイルであってもリッピング等の態様でのデータ読出しの場合には情報媒体の回転速度を上限まで上げることで、当該情報再生装置の性能を最大限活かすために最高速での読出しを行わせることもできる。
【手続補正４２】
【補正対象書類名】明細書
【補正対象項目名】００４７
【補正方法】変更
【補正の内容】
【００４７】
請求項２記載の発明によれば、請求項１に記載の情報再生装置において、特に、音楽ＣＤといったＡＶデータを再生させる読出し要求の態様の場合には、データ読出しの転送レートが通常のデータ読出しに比べて十分に低いため、情報媒体の回転速度を下げることにより、音楽ＣＤといったＡＶデータの再生に好適に対処できる。
【手続補正４３】
【補正対象書類名】明細書
【補正対象項目名】００４８
【補正方法】変更
【補正の内容】
【００４８】
請求項３記載の発明によれば、例えば、ＡＶデータの再生時のようにデータ転送レートが低くてもよい場合には情報媒体の回転速度を下げることで、必要以上に高速で読出すことを避け、高速回転による騒音や消費電力の低減を図ることができる。
【手続補正４４】
【補正対象書類名】明細書
【補正対象項目名】００４９
【補正方法】変更
【補正の内容】
【００４９】
請求項４記載の発明によれば、請求項３に記載の情報再生装置において、ＡＶデータの再生時のようにデータ転送レートが低くてもよい場合には情報媒体の回転速度を下げることで、必要以上に高速で読出すことを避け、高速回転による騒音や消費電力の低減を図ることができる。一方、例えば同じＡＶデータのファイルであってもリッピング等の態様でのデータ読出しの場合には情報媒体の回転速度を上限まで上げることで、最高速での読出しを行わせることができる。
【手続補正４５】
【補正対象書類名】明細書
【補正対象項目名】００５０
【補正方法】変更
【補正の内容】
【００５０】
請求項５記載の発明によれば、情報再生装置と、ホストとを備えたシステムにおいて、種々のＡＶデータの再生時には最適な再生速度で読出しを行い、ディスクの高速回転の振動による騒音や消費電力の低減を図るとともに、高速読出しが要求される通常のデータ読出しにおいては、最高速で読出しを行うことができる。
【手続補正４６】
【補正対象書類名】明細書
【補正対象項目名】００５１
【補正方法】変更
【補正の内容】
【００５１】
請求項６記載の発明によれば、請求項５に記載のシステムにおいて、例えばビデオＣＤ等の映像を含むＡＶデータを最適な再生速度で読出しを行いディスプレイにより映像画面として表示させることができる。
【手続補正４７】
【補正対象書類名】明細書
【補正対象項目名】００５２
【補正方法】変更
【補正の内容】
【００５２】
請求項７記載の発明によれば、請求項５に記載のシステムにおいて、例えば音楽ＣＤ（ＣＤ−ＤＡ）、或いはＣＤに記録したＷＡＶファイル、ＭＰ３ファイルを最適な再生速度で読出しを行いスピーカにより音声として再生することができる。
【手続補正４８】
【補正対象書類名】明細書
【補正対象項目名】００５３
【補正方法】変更
【補正の内容】
【００５３】
請求項８記載の発明によれば、情報再生装置を組み込んだホストにおいて、ＡＶデータの再生時のようにデータ転送レートが低くてもよい場合には情報媒体の回転速度を下げることで、必要以上に高速で読出すことを避け、高速回転による騒音や消費電力の低減を図ることができる。一方、例えば同じＡＶデータのファイルであってもリッピング等の態様でのデータ読出しの場合には情報媒体の回転速度を上限まで上げることで、最高速での読出しを行わせることができる。
【手続補正４９】
【補正対象書類名】明細書
【補正対象項目名】００５４
【補正方法】変更
【補正の内容】
【００５４】
請求項９記載の発明によれば、例えば、ＡＶデータの再生時のようにデータ転送レートが低くてもよい場合には情報媒体の回転速度を下げることで、必要以上に高速で読出すことを避け、高速回転による騒音や消費電力の低減を図ることができる一方、例えば同じＡＶデータのファイルであってもリッピング等の態様でのデータ読出しの場合には情報媒体の回転速度を上限まで上げることで、最高速での読出しを行わせることもできる。
【手続補正５０】
【補正対象書類名】明細書
【補正対象項目名】００５５
【補正方法】変更
【補正の内容】
【００５５】
請求項１０記載の発明によれば、請求項９に記載の情報再生方法において、例えば同じＡＶデータのファイルであってもリッピング等の態様でのデータ読出しの場合には情報媒体の回転速度を上限まで上げることで、最高速での読出しを行わせることができる。
【手続補正５１】
【補正対象書類名】明細書
【補正対象項目名】００５６
【補正方法】変更
【補正の内容】
【００５６】
請求項１１記載の発明によれば、基本的には、請求項９記載の場合と同様であるが、例えば、ＡＶデータの再生時のようにデータ転送レートが低くてもよい場合には情報媒体の回転速度を下げることで、必要以上に高速で読出すことを避け、高速回転による騒音や消費電力の低減を図ることができる。
【手続補正５２】
【補正対象書類名】明細書
【補正対象項目名】００５７
【補正方法】変更
【補正の内容】
【００５７】
請求項１２記載の発明によれば、請求項１１に記載の情報再生方法において、ＡＶデータの再生時のようにデータ転送レートが低くてもよい場合には情報媒体の回転速度を下げることで、必要以上に高速で読出すことを避け、高速回転による騒音や消費電力の低減を図ることができる。一方、例えば同じＡＶデータのファイルであってもリッピング等の態様でのデータ読出しの場合には情報媒体の回転速度を上限まで上げることで、最高速での読出しを行わせることができる。
【手続補正５３】
【補正対象書類名】明細書
【補正対象項目名】００５８
【補正方法】削除
【補正の内容】
【手続補正５４】
【補正対象書類名】明細書
【補正対象項目名】００５９
【補正方法】削除
【補正の内容】
【手続補正５５】
【補正対象書類名】明細書
【補正対象項目名】００６０
【補正方法】削除
【補正の内容】
【手続補正５６】
【補正対象書類名】明細書
【補正対象項目名】００６１
【補正方法】削除
【補正の内容】
【手続補正５７】
【補正対象書類名】明細書
【補正対象項目名】００６２
【補正方法】削除
【補正の内容】
【手続補正５８】
【補正対象書類名】明細書
【補正対象項目名】００６３
【補正方法】削除
【補正の内容】